(57)【要約】      （修正有）【課題】工事用の仮設看板など、表示板や表示器をより強固に、より合理的に取り付け、締め付け部分が自己保持できる、最も理論的な取付具を提供する。【解決手段】正ねじ逆ねじを１本のシャフトにセンター割りにし、それぞれに内ねじ部品を挿入しその内ねじ部品を開閉する構造で自己保持の構造を保ち強固に締め付ける。【選択図】図１
2013256838.tif 000002
【特許請求の範囲】
【請求項１】
表示板表示器を取付対象に取り付けるさい締め付け部分が自己保持のできる構造となり取付対象を保護することを特徴としている表示板表示器取付具。
【発明の詳細な説明】
【技術分野】
【０００１】
本発明は表示板や表示器をガードレール、ガードパイプ、フェンスまたはガードワイヤーの支柱に取り付ける際に用いる取付具に関するものである。
【背景技術】
【０００２】
従来の表示板表示器用取付具は、取付対象に取り付ける際固定する部分の部品を自らが位置決めし固定化する物すなはち自己保持の性質を持つものではなかったのである。上下もしくは左右のどちらかが固定され片側から押さえ込まれるもの、または両側から押さえ込まれる構造であり、他力で固定される構造となっていたのである。
【０００３】
この出願では表示板表示器取付具では取付対象に固定する際自力で加圧する構造になっているため自ら固定化を保持し外部抵抗に耐える構造となっているものである。
【先行技術文献】
【特許文献】
【０００４】
【特許文献１】特開２０１０−２８５７７８号公報
【特許文献２】特開２０１０−１３３１１９号公報
【特許文献３】特開平１１−２０９９２８号公報
【特許文献４】特開平６−３４６４１０号公報
【特許文献５】特開２００５−２４８４２０号公報
【特許文献６】特開２００５−２２０６４１号公報
【発明の概要】
【発明が解決しようとする課題】
【０００５】
取付対象に表示板または表示器を取り付ける際その取付具は取付対象を押さえこみながらその反動を力にして固定するため取付対象の変化により取付具も変化するのである。また想定外の力が加わったときそれぞれの部分が自らの位置決め構造となっていないため適切な位置からはずれ取付具の要をなさなくなるのである。よって自らの位置決め構造となることを課題とするのである。
【課題を解決するための手段】
【０００６】
上記目的を達成するために本発明は柱の回転移動を上下または左右の挟み込む部分の移動に活用したのである。柱の上半分を右ねじ下半分を左ねじとし、どちらかに回すと開きその反対に回すと狭まる、またそれぞれのねじに内ねじ付の部品を挿入しその部品に溶接構成で取付対象に取り付けられる構造としたのである。よって柱が回転すれば内ねじ付の溶接構成部品が柱上を動き、回転しなければ動かない構造となり柱をロックすれば内ねじ付の溶接構成部品と柱の位置関係は確実固定の状態となり、完全に自己保持するものとなるのである。
【発明の効果】
【０００７】
本発明では取付対象に取付具を固定する部分が自らの位置決め構造となっているため外圧で位置がずれることはなく極限まで初期の適切な位置に留まり取付具の要をなそうとするのである。また取付対象の強い反動を必要としないため取付対象に過度な負荷をかけることがないのである。
【図面の簡単な説明】
【０００８】
【図１】本件「表示板表示器取付具」をガードパイプに取り付けたときの正面図
【図２】「表示板表示器取付具」をガードレールに取り付けたときの正面図
【図３】大型表示板等取付具を取付対象に取り付けたときの平面図
【図４】ガードケーブル用表示板表示器取付具の正面図
【図５】ガードケーブル用表示板表示器取付具の平面図
【図６】ガードケーブル用表示板表示器取付具のＰ−Ｐ１矢視図
【図７】ガードケーブル用表示板表示器取付具のＱ−Ｑ１矢視図
【発明を実施するための形態】
【０００９】
以下、本発明の実地の形態を図に基づいて説明する。
【実施例１】
【００１０】
図１は本発明実施例１である。T取付対象はガードパイプである。C標準上腕とD標準下腕はそれぞれ片方は取付対象をつかむためのV型のツメを溶着し別の片方を上腕は右ねじナット形状の部品、下腕は左ねじナット形状の部品を溶着して構成されている。B標準スライド支柱は４位置決めナットに上部は右ねじの寸切りボルトを下部は左ねじ寸切りボルトを固定し４位置決めナットの回転方向により支柱のそれぞれの寸切りボルト上をC標準上腕の右ねじナット形状の部分、D標準下腕の左ねじナット形状の部分が逆の方向に動くのである。４位置決めナットを回転させながらT取付対象にブレないように固定し上腕の右ねじナット形状の部品上部の締め付けナットで上腕を押し付けB,C,Dの位置決めがなされそれぞれが自己保持の状態になるのである。
【実施例２】
【００１１】
図２T取付対象がガードレールで取付方は実施例１と同じであるが、表示板や表示器の幅に無関係に取り付けられるのである。片方を脚に挿入し片方はフレームの横桟をうけるようにして支えるのである。また６多用途固定金具に桟の抜け止めを施せば十分な強度となるのである。
【実施例３】
【００１２】
図３は大型の表示板の為の取付具である。大型のため風圧等が大きいためT取付対象にかかる腕は２箇所になりそれぞれの腕に図面のように補助バーを取付A1大型表示板受けを適切な方向に位置決めするのである。これは実施例１を大型化したときの実施例である。
【実施例４】
【００１３】
図４はガードケーブルの支柱に装着する取付具である。水平方向に挟み込む構造である。HL左腕とHR右腕がF支柱から８スペーサー７スライドピンを解して支柱に向かい上下の右腕左腕は１０上腕下腕連結プレートで溶着され、よってそれぞれの腕はF支柱に対して垂直でているのである。P-P1矢視図よりG平行スライドシャフトの横型位置決めナットは実施例１の縦の構造を横の構造にしただけで、端の蝶部分を回すとF支柱から出た７スライドピン上を左右の腕がスライドし８スペーサーをてこに左右の４分の１円がT取付対象に食い込むのである。またこの締め付け構造は上部の腕と下部の腕の２箇所にあり、それぞれに横型位置決めナットの緩み止めが施され位置きめの後は緩まない構造となっているのである。そしてQ-Q1矢視図のように柱側からI押しねじでガードケーブルの支柱を押さえるためより強度を増した取付状態となるのである。
【産業上の利用可能性】
【００１４】
道路工事、ガス工事、電気工事、水道工事、下水工事などの仮設表示板の取付具として所轄官庁の表示板表示器の一時的取付に今まで以上の高度な器具として提供するものである。緊急時のすばやい設置もより可能となったのである。
【符号の説明】
【００１５】
１  締め付けナット
２  曲げワッシャー
３  位置決めプレート
４  縦型位置決めナット
５  位置決めバー
６  多用途用固定金具
７  スライドピン
８  スペーサー
９  横型位置決めナット
１０上腕下腕連結プレート
A  標準型表示板受け
A1 大型表示板受け
A2 多用途表示板受け
B  標準スライド支柱
B1 大型用スライド支柱
C  標準上腕
C1 大型用ショート上腕
C2 大型用ロング上腕
D  標準下腕
D1 大型用ショート下腕
D2 大型用ロング下腕
E  大型用ショート補助バー
E1 大型用ロング補助バー
F  支柱
G  平行スライドシャフト
HL 左腕
HR 右腕
I  押しねじ
T  取付対象  
【図１】
2013256838.tif 000003
【図２】
2013256838.tif 000004
【図３】
2013256838.tif 000005
【図４】
2013256838.tif 000006
【図５】
2013256838.tif 000007
【図６】
2013256838.tif 000008
【図７】
2013256838.tif 000009